(57)【要約】【課題】確実に蒸気の排出ができ、かつ節電を図ることができ、送風機の誤作動がない蒸気排出ユニットを提供する。【解決手段】本蒸気排出ユニットは、電気器具から発生する蒸気の蒸気吸込口３と蒸気排気口４を連通するダクト８に設けられた吸排気用の送風機１０とを備え、電気器具に流れる電流を検知し、かつ蒸気吸込口に吸い込まれる蒸気の所定値以上の温度上昇率を検知したとき、あるいは所定値以上の温度を検知したときに送風機１０を回転させる。【選択図】  図５
2007195765.tif 000002
【特許請求の範囲】
【請求項１】
収納棚に収納された電気器具から発生する蒸気の蒸気吸込口と蒸気排気口が設けられ、かつユニット本体に設けられ前記蒸気吸込口と前記蒸気排気口を連通するダクトと、このダクトに設けられた吸排気用の送風機とを備えた蒸気排出ユニットにおいて、
前記電気器具に流れる電流を検知する電流検知回路と、
前記蒸気吸込口に吸い込まれる蒸気の温度を検知する温度検知センサーと、
前記電流検知回路及び前記温度検知センサーの検知結果に基づいて送風機を制御する制御手段を設け、
前記電流検知回路が前記電気器具に流れる電流を検知し、かつ前記温度検知センサーが前記蒸気吸込口に吸い込まれる蒸気の所定値以上の温度上昇率を検知したとき、あるいは所定値以上の温度を検知したときに、前記制御手段を介して前記送風機を回転させることを特徴とする蒸気排出ユニット。
【請求項２】
前記電気器具に流れる電流が所定値以下に低下し、かつ前記蒸気温度が所定値以下に低下したとき、前記送風機を停止させることを特徴とする請求項１に記載の蒸気排出ユニット。
【請求項３】
前記制御手段には遅延手段が設けられることを特徴とする請求項１または２に記載の蒸気排出ユニット。
【発明の詳細な説明】
【技術分野】
【０００１】
本発明は蒸気排出ユニットに係り、特に炊飯器や電気保温ポットなどを収納する収納棚内の蒸気の排出を促進するために用いられ、送風機の制御方法を改良した蒸気排出ユニットに関する。
【背景技術】
【０００２】
従来、収納棚に収納された炊飯器、電気保温ポットあるいはコーヒーメーカーなどの電気器具の加熱時に発生する蒸気を外部に排出するために、収納棚に蒸気排出ユニットを組み込んでいる。
【０００３】
このような蒸気排出ユニットを組み込んだ収納棚において、電気器具の安全性、耐久性を図り、消費電力を低減させる目的で、電気器具への通電を検知して送風機を回転させて蒸気を排出し、また、炊飯等が終了しても直ちに送風機を停止させることなく、回転し続けるように遅延回路を設けた収納棚が提案されている（特許文献１）。
【０００４】
また、炊飯器等の蒸気発生源が作動したときに、炊飯器等の作動を検出して自動的に蒸気排出動作を行う目的で、電気器具への通電を検知する電流検知センサーを設け、さらに、電気器具の収納部の温度を検知する温度検知センサーを設け、所定値以上の電流値あるいは温度値を検知したときに送風機を回転させる収納棚が提案されている（特許文献２）。
【０００５】
しかしながら、このような特許文献１に記載の収納棚は、電気器具への通電を検知して送風機を回転させるため、電気器具から未だ蒸気が発生していない段階で送風機を回転させるため、消費電力が浪費される問題がある。
【０００６】
また、特許文献２に記載の収納棚は、電流検知センサーからの電流情報信号あるいは温度検知センサーからの所定値以上の温度情報信号のいずれかの情報信号に基づき送風機を回転させるため、電流情報信号に基づく場合には、特許文献１と同様に電気器具から未だ蒸気が発生していない段階で送風機を回転させるため、消費電力が浪費され、温度情報信号に基づく場合には、季節により変化する台所等収納棚設置場所の温度や収納棚の構造により、収納棚内部の温度変化が大きく、蒸気の発生を的確に検知できず、送風機を誤作動させる問題がある。
【特許文献１】実公昭６１−３７３１７号公報
【特許文献２】特開平１０−１１５４４５号公報
【発明の開示】
【発明が解決しようとする課題】
【０００７】
本発明は上述した事情を考慮してなされたもので、確実に蒸気の排出ができ、かつ節電を図ることができ、送風機の誤作動がない蒸気排出ユニットを提供することを目的とする。
【課題を解決するための手段】
【０００８】
上述した目的を達成するため、本発明に係る蒸気排出ユニットは、収納棚に収納された電気器具から発生する蒸気の蒸気吸込口と蒸気排気口が設けられ、かつユニット本体の内部に設けられ前記蒸気吸込口と前記蒸気排気口を連通するダクトと、このダクトに設けられた吸排気用の送風機とを備えた蒸気排出ユニットにおいて、前記電気器具に流れる電流を検知する電流検知回路と、前記蒸気吸込口に吸い込まれる蒸気の温度を検知する温度検知センサーと、前記電流検知回路及び前記温度検知センサーに接続され、送風機を制御する制御手段を設け、前記電流検知回路が前記電気器具に流れる電流を検知し、かつ前記温度検知センサーが前記蒸気吸込口に吸い込まれる蒸気の所定値以上の温度上昇率を検知したとき、あるいは所定値以上の温度を検知したときに、前記制御手段を介して前記送風機を回転させることを特徴とする。
【発明の効果】
【０００９】
本発明に係る蒸気排出ユニットによれば、確実に蒸気の排出ができ、かつ節電を図ることができ、送風機の誤作動がない蒸気排出ユニットを提供することを目的とする。
【発明を実施するための最良の形態】
【００１０】
本発明に係る一実施形態の蒸気排出ユニットについて添付図面を参照して説明する。
【００１１】
図１は本発明に係る蒸気排出ユニットを組み込んだ収納棚の正面図、図２は本発明に係る蒸気排出ユニットの斜視図、図３は本発明に係る蒸気排出ユニットの下面図である。
【００１２】
図１に示すように、本発明に係る蒸気排出ユニット１は、炊飯器、電気保温ポットあるいはコーヒーメーカーなどの電気器具が収容される収納棚２１の天井が開放された収納部２２内の天井に配置されて使用される。
【００１３】
図２及び図３に示すように、蒸気排出ユニット１は扁平直方体状のユニット本体２を備え、このユニット本体２の底部２ａに設けられた蒸気吸込口３と、ユニット本体２の外周に設けられた蒸気排気口４を備え、さらに、底部２ａにはこの底部２ａの略々全域に渡って凹状空間部５を設けている。
【００１４】
この凹状空間部５は略々正方形状の第１空間部５Ａと、この第１空間部５Ａと仕切部５ａによって仕切られた長方形状の第２空間部５Ｂからなり、第１空間部５Ａと第２空間部５Ｂには、第１底面開口６Ａ、第２底面開口６Ｂより各々小さく相似形で平板状の第１蒸気分散板７Ａ、第２蒸気分散板７Ｂが第１空間部５Ａと第２空間部５Ｂに空間Ｓが形成され、仕切部５ａと同一高さになるように、内部に押し込んだ状態で内装される。
【００１５】
第１底面開口６Ａの内周と第１蒸気分散板７Ａの外周間には、略々正方形環状の第１蒸気吸込口３Ａが形成され、第２底面開口６Ｂの内周と第２蒸気分散板７Ｂの外周間には略々長方形環状の第２蒸気吸込口３Ｂが形成され、両蒸気吸込口３Ａ、３Ｂで蒸気吸込口３を構成する。
【００１６】
図４乃至図７に示すように、凹状空間部５の上方には、第１吸込口８ａ及びこの第１吸込口８ａより開口面積が小さい第２吸込口８ｂを備えた略々三角形状のダクト８が設けられ、第１吸込口８ａ及び第２吸込口８ｂの前面には、通気路９Ａ、９Ｂが形成されるように空隙を設けて上記の第１蒸気分散板７Ａ、第２蒸気分散板７Ｂが配置される。
【００１７】
第１蒸気分散板７Ａ及び第２蒸気分散板７Ｂの第１底面開口６Ａ及び第２底面開口６Ｂの中心部に対向する位置には、送風機１０を制御するために蒸気温度を検知する温度センサー１１Ａ、１１Ｂが設けられる。
【００１８】
ダクト８にはファンケーシング部１２が設けられ、このファンケーシング部１２にはケーシング部吸込口１２ａが設けられ、さらに、蒸気排気口４に連通される。
【００１９】
図８に示すように、ユニット本体２には送風機１０を制御する制御回路１３が設けられ、この制御回路１３はマイコン１３ａ及び送風機１０の回転停止を遅らせる遅延回路１３ｂを備え、温度センサー１１Ａ、１１Ｂと、電気器具へ流れる電流を検知する電流検知回路１４が接続される。
【００２０】
図９に示すように、制御回路１３による送風機１０の制御は、電気器具に流れる電流すなわち図９（ａ）に示すように検出負荷及び温度上昇率が同時に所定値以上の場合に、図９（ｃ）に示すように送風機（ファンモータ）１０を回転させ、遅延回路１３ｂにより電気器具に通電が止まった時点から所定時間経過後に送風機１０の回転を停止するように設定される。上記温度上昇率は温度センサー１１Ａ、１１Ｂで蒸気温度を継続的に検知し制御回路１３で演算し、図１０に示すｆ／ｅに相当する温度勾配で求められる。
【００２１】
なお、制御回路１３により電気器具に流れる電流が所定値以下に低下し、かつ図１０に示すように、蒸気温度が所定値Ｔｅ以下に低下したときに、送風機１０を停止させるように設定してもよい。これにより、遅延回路をなくすことが可能となり、遅延回路とともに使用する場合には、２重に送風機の停止を制御できて停止が確実であり、また、遅延回路による送風機の停止に先行して、送風機を停止させることができ、節電になる。
【００２２】
本発明に係る蒸気排出ユニットは、図１に示すように、収納棚２１上に載置されて使用され、例えば、第１空間部５Ａの下方に炊飯器、第２空間部５Ｂの下方に電気保温ポットが位置するように電気器具が収納棚２１の収納部２２に収納される。
【００２３】
電気器具の電源が入れられ、図９に示すように、電気器具に通電されると電流検知回路１４により負荷が検知される（図９（ａ））。
【００２４】
時間Ｔ１が経過し、電気器具から蒸気が発生すると、この蒸気温度が温度センサー１１Ａ、１１Ｂにより継続的に検知され、制御回路１３により図１０に示すような温度上昇率（ｆ／ｅ）を演算し、所定値以上になると（図９（ｂ））、制御回路１３を介して送風機１０を回転させる（図９（ｃ））。
【００２５】
送風機１０の回転に伴い、電気器具から発生した蒸気は、第１蒸気吸込口３Ａ、第２蒸気吸込口３Ｂから吸い込まれ、さらに、通気路９Ａ、９Ｂ、第１吸込口８ａ、第２吸込口８ｂを介してダクト８に吸い込まれ、ケーシング部吸込口１２ａ、ファンケーシング部１２を介して蒸気排気口４からユニット本体２外、すなわち収納部２２の外へ排出される。
【００２６】
この状態が継続され、調理が終了すると、電気器具への通電を止め（図９（ａ））。
【００２７】
電流検知回路１４により通電停止を検知すると、遅延回路１３ａが作動して、送風機１０の回転を継続させて、蒸気の排出を継続する（図９（ｃ））。
【００２８】
調理が終了し時間Ｔ２が経過すると、電気器具からの蒸気の発生が止まるので、送風機１０の回転を止める（図９（ｃ））。
【００２９】
本発明に係る蒸気排出ユニットによれば、送風機は、電気器具に電流が流れと同時に温度上昇率が所定値以上（ＯＮ状態）の場合に、回転を開始させるので、電気器具に流れる電流を検知し、電気器具への通電後蒸気が発生するまで送風機を不必要に回転させるものとは異なり、節電になり、蒸気温度を単独で検知するか、蒸気温度あるいは電流の流れを選択的に検知するため、蒸気の発生を的確に検知できず、送風機を誤作動させるものとは異なり、送風機の誤作動がなく、確実に蒸気の排出ができ蒸気排出ユニットが実現される。
【００３０】
なお、上記実施形態では、電流検知回路１４により電気器具に流れる電流を検知するとともに温度センサー１１Ａ、１１Ｂにより継続的に検知され、制御回路１３により温度変化率を演算し、所定値以上になったとき送風機１０を回転する例で説明したが、図１１に示すように、電流検知回路１４により電気器具に流れる電流を検知するとともに温度センサー１１Ａ、１１Ｂが所定値以上の蒸気温度Ｔｅ１を同時に検知したときに送風機１０を回転させるようにしても、同様の効果を期待できる。
【図面の簡単な説明】
【００３１】
【図１】本発明に係る蒸気排出ユニットを組み込んだ収納棚の正面図。
【図２】本発明に係る蒸気排出ユニットの斜視図。
【図３】本発明に係る蒸気排出ユニットの下面図。
【図４】本発明に係る蒸気排出ユニットの上板を除去して示す上面図。
【図５】本発明に係る蒸気排出ユニットのダクトを除去して示す上面図。
【図６】本発明に係る蒸気排出ユニットの幅方向の縦断面図。
【図７】本発明に係る蒸気排出ユニットの奥行方向の縦断面図。
【図８】本発明に係る蒸気排出ユニットに用いられる回路図。
【図９】本発明に係る蒸気排出ユニットの制御関連図。
【図１０】本発明に係る蒸気排出ユニットの温度検知の説明図。
【図１１】本発明に係る蒸気排出ユニットの他の実施形態の温度検知の説明図。
【符号の説明】
【００３２】
１  蒸気排出ユニット
２  ユニット本体
２ａ  底部
３  蒸気吸込口
３Ａ  第１蒸気吸込口
３Ｂ  第２蒸気吸込口
４  蒸気排気口
５  凹状空間
５Ａ  第１空間部
５Ｂ  第２空間部
６Ａ  第１底面開口
６Ｂ  第２底面開口
７Ａ  第１蒸気分散板
７Ｂ  第２蒸気分散板
８  ダクト
８ａ  第１吸込口
８ｂ  第２吸込口
１０  送風機
１１Ａ、１１Ｂ  温度センサー
１２  ファンケーシング部
１３  制御回路
１４  電流検知回路
【図１】
2007195765.tif 000003
【図２】
2007195765.tif 000004
【図３】
2007195765.tif 000005
【図４】
2007195765.tif 000006
【図５】
2007195765.tif 000007
【図６】
2007195765.tif 000008
【図７】
2007195765.tif 000009
【図８】
2007195765.tif 000010
【図９】
2007195765.tif 000011
【図１０】
2007195765.tif 000012
【図１１】
2007195765.tif 000013